(57)【要約】【課題】排気との熱交換によって吸気を予熱し、衣類の乾燥効率を向上させると共にエネルギーの有効活用を図ることのできる、シンプルで清掃容易な衣類乾燥機取付型熱交換器を提供する。【解決手段】略直方体状で中空の熱交換室１，熱交換室１の上端面を隔壁２として共有し熱交換室１に連設された略直方体状の吸気溜３，熱交換室１の内部を貫通し隔壁２及び底板１ａに連結された両端開口の管４，…，何れかの側壁１ｂに突設され熱交換室１と外部を連通する排気導入筒５，及び何れかの側壁１ｂに突設され熱交換室１と外部を連通する排気吹出筒６を有し、吸気溜３の当接面３ｃには、止着用孔９ａ，…が穿設されたフランジ９が設けられると共に吸気溜３と外部を連通する吸気出口３ｄが穿設されてなる衣類乾燥機取付型熱交換器である。【選択図】図１
0003145376.tif 000002
【実用新案登録請求の範囲】
【請求項１】
略直方体状で中空の熱交換室，熱交換室の上端面を隔壁として共有し熱交換室に連設された略直方体状の吸気溜，熱交換室の内部を貫通し隔壁及び底板に連結された両端開口の管，何れかの側壁に突設され熱交換室と外部を連通する排気導入筒，及び何れかの側壁に突設され熱交換室と外部を連通する排気吹出筒を有し、吸気溜の当接面には、止着用孔が穿設されたフランジが設けられると共に吸気溜と外部を連通する吸気出口が穿設されてなることを特徴とする衣類乾燥機取付型熱交換器。
【請求項２】
吸気溜の、吸気出口が穿設された面及び隔壁を除く何れかの面に、開閉自在な清掃用窓が設けられてなることを特徴とする請求項１に記載の衣類乾燥機取付型熱交換器。
【請求項３】
熱交換室の何れかの側壁に、開閉自在な清掃用窓が設けられてなることを特徴とする請求項１又は請求項２に記載の衣類乾燥機取付型熱交換器。
【考案の詳細な説明】
【技術分野】
【０００１】
本考案は、衣類乾燥機に取り付けて用いられる熱交換器に関する。
【背景技術】
【０００２】
衣類乾燥機において、送風機によって吸気口から吸入された空気は、ヒーターで熱せられて温風となり、衣類の乾燥に供せられる。衣類に接触して生じた、高温高湿の空気流は、送風機によって、排気口から排出される。
【０００３】
衣類乾燥機からの排気は、衣類を乾燥可能な程度に高温ではあるものの、湿度が高いために衣類の乾燥に再利用できず、従来は機外にそのまま排出されていた。換言すると、ヒーターで生じた熱の大部分は衣類乾燥機外に排出されて失われ、エネルギーを無駄にしていた。そのため、排気を再利用し、その熱を有効活用する発明が開示されている。
【０００４】
例えば、ドラムと、
前記ドラムと連通設置され、前記ドラムの内部空気を外部に排出する排気ダクトと、
前記ドラムと連通設置され、前記排気ダクトを通じて外部に排出される内部空気の流動方向と交差するように外部空気を前記ドラムの内部に吸入する吸気ダクトと、
前記排気ダクト及び前記吸気ダクトと連結され、前記排気ダクトを通じて外部に排出される内部空気が通過する第１流路及び前記吸気ダクトを通じて前記ドラムの内部に吸入される外部空気が通過する第２流路が交差するように形成されている熱交換器とを含むことを特徴とするドラム洗濯機が開示されている（例えば、特許文献１参照）。
【０００５】
また、例えば、圧縮機と圧縮後の高温高圧の冷媒の熱を放熱する放熱器と高圧の冷媒の圧力を減圧するための絞り手段と減圧されて低圧となった冷媒で周囲から熱を奪う吸熱器とを冷媒が循環する管路で連結して構成したヒートポンプ装置と、吸着剤を用いて循環空気から湿気を吸う吸湿部と再生空気に湿気を放出する放湿部とを有する吸放湿手段と、衣類を入れた乾燥庫から出た循環空気を前記吸放湿手段の吸湿部を経て再び乾燥庫に導く循環風路と、再生空気を前記吸放湿手段の放湿部と前記ヒートポンプ装置の吸熱器と前記ヒートポンプ装置の放熱器とを経て再度前記吸放湿手段の放湿部と順に導く再生風路と、循環空気を送風する第１送風機と、再生空気を送付する第２送風機と、再生空気から外部に熱を排出する排熱手段とを備えた衣類乾燥装置が開示されている（例えば、特許文献２参照）。
【０００６】
【特許文献１】特開２００６−２６４０７号公報
【特許文献２】特開２００７−３０６９６０号公報
【考案の開示】
【考案が解決しようとする課題】
【０００７】
しかしながら、上記特許文献１に記載の技術は、吸気と排気との熱交換を行う熱交換器が内設されたドラム式洗濯機自体の発明であって、既存の洗濯機又は乾燥機に取付可能な熱交換器は開示されていない。
【０００８】
特許文献１に係る熱交換器内では、外部に排出される内部空気が通過する第１流路と内部に吸入される外部空気が通過する第２流路が交差するように形成され、第１流路及び第２流路が交互に積層配置されている。内部空気に含まれる繊維屑が第１流路に、若しくは外気中の塵芥が第２流路に詰まり、内部空気に含まれる水分が第１流路内で凝縮して第１流路に詰まり、又は内部空気に含まれる水分のために第１流路の内壁面が錆びることが容易に予測できるが、上記熱交換器は構造複雑であって、詰まりを取除き又は錆を落とすことが困難である。
【０００９】
特許文献２に記載の衣類乾燥装置は、衣類から湿気を奪った高湿の循環空気を、吸着剤によって湿度を低下させた後に乾燥に再利用するものである。気密を保ちながら吸着剤を担持したローターを回転させ、ヒートポンプによって吸着剤から水分を奪い結露水を外部に排出する複雑な構成が必要であり作成容易でない上、既存の乾燥機に取り付けて循環空気の再利用を図ることは何ら開示されていない。前記衣類乾燥装置を長期間使用すると、水分の脱着を繰り返すことによって吸着剤の吸着能が低下し、循環空気を充分に除湿できなくなる虞がある。
【００１０】
循環空気の熱を乾燥に再利用するために、ヒートポンプ装置内に設けられた圧縮機及び第２送風機，並びに吸放湿手段を回転させる駆動手段を運転する余剰の電力を必要とし、必ずしもエネルギーを有効活用できるとは言えない。
【００１１】
また、叙上の通り複雑な構成であって、循環風路内の繊維屑及び錆，並びに再生風路内の錆を取除くことが困難であり、清掃や保守管理に甚大な手間を要する。
【００１２】
上記問題点に鑑み、本考案は、既存の衣類乾燥機に取付可能で、排気と吸気の熱交換を行うことによって、衣類の乾燥効率を向上させると共にエネルギーの有効活用を図ることのできる、衣類乾燥機取付型熱交換器を提供することを課題とする。また、シンプルな構造で清掃容易な、上記衣類乾燥機取付型熱交換器を提供することを課題とする。
【課題を解決するための手段】
【００１３】
上記課題を解決するために、本考案の考案者は、鋭意検討を重ね、排気との熱交換によって吸気を予熱できるシンプルな構成の衣類乾燥機取付型熱交換器を考案した。
【００１４】
即ち、上記課題を解決する第１の考案は、略直方体状で中空の熱交換室，熱交換室の上端面を隔壁として共有し熱交換室に連設された略直方体状の吸気溜，熱交換室の内部を貫通し隔壁及び底板に連結された両端開口の管，何れかの側壁に突設され熱交換室と外部を連通する排気導入筒，及び何れかの側壁に突設され熱交換室と外部を連通する排気吹出筒を有し、吸気溜の当接面には、止着用孔が穿設されたフランジが設けられると共に吸気溜と外部を連通する吸気出口が穿設されてなることを特徴とする衣類乾燥機取付型熱交換器である。
【００１５】
衣類乾燥機の排気を、排気導入筒から熱交換室内に導き、排気吹出筒から排出させる。一方、管の底面側開口部から流入した外気は、管を通る間に排気との熱交換によって加温されて吸気溜に導かれ、吸気出口から衣類乾燥機の吸気口に流入する。加温された外気を、衣類乾燥機内のヒーターで更に熱して、衣類の乾燥に供する。
【００１６】
第２の考案は、第１の考案に係る衣類乾燥機取付型熱交換器であって、吸気溜の、吸気出口が穿設された面及び隔壁を除く何れかの面に、開閉自在な清掃用窓が設けられてなる。
【００１７】
第３の考案は、第１又は第２の考案に係る衣類乾燥機取付型熱交換器であって、熱交換室の何れかの側壁に、開閉自在な清掃用窓が設けられてなる。
【考案の効果】
【００１８】
本考案に係る衣類乾燥機取付型熱交換器は、衣類乾燥機の排気との熱交換によって予熱された吸気を用いるから、衣類乾燥機で吸気を加温するに必要な熱量を低減でき、加温に要するエネルギーを節約することができる。圧縮機等の電力を消費する部品を用いないから、余剰の電力を必要とせず、エネルギーを有効活用することができる。
【００１９】
シンプルな構成であるから、容易に作成でき、排気から生じた凝縮水，錆，衣類から生じた繊維屑等が風路に詰まり難く、内部を清掃し易い。
【００２０】
既存の衣類乾燥機に取り付け接続するのみで機能発揮できるから、熱の利用効率を高めた新型の衣類乾燥機と入れ換えることなく、既存の衣類乾燥機をそのまま用いてエネルギーの有効活用を図ることができる。
【００２１】
第２の考案によれば、清掃用窓を開けることによって、吸気溜，吸気出口等を容易に清掃できる。また、管内に付着した錆，衣類乾燥機のポンプから生じたオイルミスト等を取除くことも容易である。
【００２２】
第３の考案によれば、清掃用窓を開けることによって、繊維屑，凝縮水，錆等を取除き、熱交換室内を容易に清掃できる。
【考案を実施するための最良の形態】
【００２３】
以下に、本考案を実施するための最良の形態を、実施例を示す図面を参照して詳細に説明するが、本考案は実施例に限定されるものではない。
【実施例１】
【００２４】
図１は、実施例１の衣類乾燥機取付型熱交換器の一部を切り開いて示す斜視図である。図２は、実施例１の衣類乾燥機取付型熱交換器の使用状態を示す斜視図である。尚、図中の白抜き矢印は、吸気又は排気の気流の向きを示している。
【００２５】
本考案に係る衣類乾燥機取付型熱交換器は、図１に示される様に、略直方体状で中空の熱交換室１，熱交換室１の上端面を隔壁２として共有し熱交換室１に連設された略直方体状の吸気溜３，熱交換室１の内部を貫通し隔壁２及び底板１ａに連結された両端開口の管４，…，何れかの側壁１ｂに突設され熱交換室１と外部を連通する排気導入筒５，及び何れかの側壁１ｂに突設され熱交換室１と外部を連通する排気吹出筒６を有し、吸気溜３の当接面３ｃには、止着用孔９ａ，…が穿設されたフランジ９が設けられると共に吸気溜３と外部を連通する吸気出口３ｄが穿設されてなる。
【００２６】
本考案に係る衣類乾燥機取付型熱交換器は、以下特筆しない限り、剛性を有する材質で作成される。例えば、鉄，炭素鋼，銅，ブリキ，ステンレス鋼等の金属，ポリエチレン，ポリプロピレン，ポリ塩化ビニル，ポリメタクリル酸エステル，ポリカーボネート等の合成樹脂，又は木材が用いられるが、展延性に優れ加工容易な金属が好適であって、軽量で錆び難いブリキ，ステンレス鋼又は防錆処理された金属がより好適である。
【００２７】
熱交換室１は、略直方体状の空間であって、排気導入筒５と排気吹出筒６によって外部と連通している。排気導入筒５は、図２に示される様に、フレキシブルチューブ１１を介して衣類乾燥機１０の排気口１０ｂと接続され、排気吹出筒６に接続されたフレキシブルチューブ１１は屋外へと導かれる。衣類乾燥機１０の排気は、排気導入筒５から熱交換室１に入り吸気との熱交換に供された後、排気吹出筒６から屋外へと排出される。
【００２８】
熱交換室１の上端面は隔壁２とされ、熱交換室１と後述する吸気溜３を隔て、双方の内部の空気が混合するのを防ぐ働きをする。
【００２９】
吸気溜３は、天板３ａ，隔壁２及び側壁３ｂ，…で囲まれた略直方体状の空間である。本実施例においては、４つの側壁３ｂ，…は夫々１つの側壁１ｂ，…と面一とされているが、必ずしもこれに限られず、例えば、吸気溜３が、熱交換室１から側方に突出されて設けられていても良い。
【００３０】
側壁３ｂ，…の１つは衣類乾燥機１０と当接される当接面３ｃとされ、該当接面３ｃは矩形状に穿孔されて、吸気出口３ｄが設けられている。本実施例に係る衣類乾燥機取付型熱交換器は、当接面３ｃを衣類乾燥機１０の吸気口１０ａと密着させる様にして、衣類乾燥機１０の側面１０ｃに当接されて用いられる。吸気溜３は吸気出口３ｄ及び後述する管４，…で本考案の外部と連通していて、管４，…を介して吸気溜３に導入された外気は、吸気出口３ｄを介して衣類乾燥機１０の吸気口１０ａに導かれる。
【００３１】
本実施例の衣類乾燥機取付型熱交換器は、１つの側壁３ｂが当接面３ｃとされているが、必ずしもこれに限られず、天板３ａ及び側壁３ｂ，…から選ばれる何れか１つの面が当接面３ｃとされていれば良い。本考案と衣類乾燥機１０との隙間から外気が混入せず、吸気出口３ｄから排出される空気のみが衣類乾燥機１０に吸入される様、当接面３ｃは、衣類乾燥機１０の吸気口１０ａよりも大きく形成されていることが好ましい。
【００３２】
吸気出口３ｄの形状は、必ずしも矩形状に限られず、略円形，略楕円形，略矩形状，任意多角形状等であっても良い。また、吸気出口３ｄの大きさは特に限定されず、吸気溜３の１の側壁３ｂ全体が取除かれて吸気出口３ｄとされていても良い。吸気出口３ｄは、衣類乾燥機１０の吸気口１０ａよりも大きく形成されていることが好ましく、衣類乾燥機１０の吸気口１０ａと略等しい形状及び大きさとされていることがより好ましい。
【００３３】
排気導入筒５及び排気吹出筒６の形状は、排気を漏出することなく熱交換室１に導入し又は熱交換室から排出できれば特に限定されず、矩形状，円形状，楕円形状等の任意形状の断面を有するものを用いることができるが、接続されるフレキシブルチューブ１１，…と断面形状及び寸法が略同一であることが好ましい。
【００３４】
排気導入筒５及び排気吹出筒６の取付位置は、当接面３ｃと同一平面上に無い何れかの側壁１ｂ，…に突設されていれば良く、特定の側壁１ｂ，…に限定されない。また、排気導入筒５及び排気吹出筒６が同一の側壁１ｂに突設されていても良く、互いに異なる側壁１ｂ，１ｂに突設されていても良い。排気導入筒５及び排気吹出筒６の取付高さ位置は特に限定されないが、両者が略等しい高さ位置に設けられていると、充分な熱交換が行われないうちに排気が器外に放出されてしまうため、排気導入筒５及び排気吹出筒６は、充分な高低差を保って設けられていることが好ましい。
【００３５】
上端付近が隔壁２と、下端付近が底板１ａと連結され、熱交換室１内を上下に貫通する両端開口の管４，…が設けられていて、管４，…によって吸気溜３は本考案の外部と連通している。本実施例の管４，…は、上端が隔壁２より突出すると共に下端は底板１ａにおいて開口しているが、上端付近が隔壁２と連結され且つ下端付近が底板１ａと連結されていれば必ずしもこれに限られず、上端及び下端の少なくとも一方が隔壁２若しくは底板１ａから突出していても良く、又は上端が隔壁２において開口すると共に下端が底板１ａにおいて開口していても良い。
【００３６】
本実施例の管４，…は略円筒形状であるが、必ずしもこの形状に限られず、略円形状，略楕円形状，多角形状等、任意の断面形状を有していても良い。管４，…の外径，数及び水平方向の位置は特に限定されないが、効率的に熱交換するために、熱交換室１内にほぼ均等に設けられていることが好ましい。
【００３７】
天板３ａには、スライド式の清掃用窓７が開閉自在に設けられ、摺動方向に設けられたレール７ａ，７ａの吸気出口３ｄ側端にはストッパー７ｂが設けられている。清掃用窓７を開けると、吸気溜３内の清掃を、容易に行える。清掃用窓７の形状は、開閉自在とされていれば必ずしもスライド式に限られず、例えば、蝶番が設けられ開き型とされていても良い。また、清掃用窓７の位置は、必ずしも天板３ａに限られず、当接面３ｃ及び隔壁２を除く何れかの壁面に設けられていれば良い。
【００３８】
熱交換室１の当接面３ｃと対向する側壁１ｂには、スライド式の清掃用窓８が開閉自在に設けられ、摺動方向に設けられたレール８ａ，８ａの吸気出口３側端にはストッパー８ｂが設けられている。清掃用窓８を開けると、熱交換室１内の清掃を容易に行える。清掃用窓８の形状は、開閉自在とされていれば必ずしもスライド式に限られず、例えば、蝶番が設けられ開き型とされていても良い。また、清掃用窓８の位置は、必ずしも当接面３ｃと対向する側壁１ｂに限られず、何れかの側壁１ｂ，…に設けられていれば良い。
【００３９】
当接面３ｃにはフランジ９，…が設けられ、止着材１２，…を挿通可能な止着用孔９ａ，…が穿設されていて、当接面３ｃが、衣類乾燥機１０の吸気口１０ａと確実に密着するようにされている。本実施例の衣類乾燥機取付型熱交換器は、熱交換室１の一側壁１ｂが吸気溜３の当接面３ｃと面一とされており、熱交換室１の前記側壁１ｂにもフランジ９’，…が設けられ止着用孔９ａ’，…が穿設されているが、当接面３ｃと吸気口１０ａが確実に密着し且つ本考案が衣類乾燥機１０に安定に取り付けられれば、必ずしも熱交換室１の側壁１ｂにフランジ９’，…が設けられている必要は無い。
【実施例２】
【００４０】
以下、本考案の別の実施例について記載するが、実施例１と同一部分には同一符号を付して、詳細な説明は省略する。
【００４１】
図３は、実施例２の衣類乾燥機取付型熱交換器を示す斜視図である。図４は、実施例２の衣類乾燥機取付型熱交換器の取付方法を示す斜視図である。
【００４２】
実施例２の衣類乾燥機取付型熱交換器は、吸気溜３が熱交換室１よりも側方に突出する様に設けられ全体として略Ｌ字状の形状とされており、図４に示される様に、吸気溜３が突出した側の側壁１ｂを衣類乾燥機１０の上面１０ｄに当接させる様に横倒しにされて、衣類乾燥機１０上に載置されて用いられる。
【００４３】
吸気溜３の、熱交換室１よりも突出した部分には、図３に示される様に吸気出口３ｄが穿設されている。実施例１に示される様な側面取付型の衣類乾燥機取付型熱交換器が使用困難な、側面１０ｃに凹凸を有する衣類乾燥機１０に対しても、本実施例の衣類乾燥機取付型熱交換器は容易に取り付けられる。
【００４４】
本実施例の衣類乾燥機取付型熱交換器は、４つの側壁１ｂ，…が底板１ａ側に延出され、それらの延出端に矩形状の遮蔽板１ｃが架設されている。更に、一側壁１ｂには、吸気取込口１ｄが穿設されている。上記の様に構成したので、本実施例の衣類乾燥機取付型熱交換器は、吸気取込口１ｄから取り込まれた外気が管４，…に導かれる様にされていて、衣類乾燥機１０の上面１０ｄに溜まった埃が吸気に混合することが回避される。
【００４５】
吸気取込口１ｄの形状は、必ずしも矩形状に限られず、略円形，略楕円形，略矩形状，任意多角形状等であっても良い。また、吸気取込口１ｄの大きさは、吸気の圧力が低下し衣類乾燥機１０の運転に支障を来たさなければ、特に限定されるものではない。
【００４６】
吸気溜３の当接面３ｃには、実施例１と同様に、フランジ９，…が設けられ、止着材１２，…を挿通可能な止着用孔９ａ，…が穿設されていて、吸気出口３ｄが、衣類乾燥機１０の吸気口１０ａと確実に密着するようにされている。本実施例の衣類乾燥機取付型熱交換器は、当接面３ｃを衣類乾燥機１０の側面１０ｃに当接させた際に、熱交換室１の一側壁１ｂが衣類乾燥機１０の上面１０ｄに当接される。熱交換室１の前記側壁１ｂにもフランジ９’，…が設けられ止着用孔９ａ’，…が穿設されているが、当接面３ｃと吸気口１０ａが確実に密着し且つ本考案が衣類乾燥機１０に安定に取り付けられれば、必ずしも熱交換室１の側壁１ｂにフランジ９’，…が設けられている必要は無い。
【使用例１】
【００４７】
実施例２の衣類乾燥機取付型熱交換器を、コインランドリー用衣類乾燥機１０（商品名：ヒュービッシュ乾燥機（商品名は株式会社ダイワコーポレーション発行の取扱説明書による），米国アライアンス社製）に取り付け、幅約１０．１ｍ，奥行約７．５ｍ，高さ約２．８ｍの室内に設置した。一般的なコインランドリーの環境を再現するために、衣類乾燥機１０の前端面と壁面との間に約４．５ｍの距離を置き、衣類乾燥機１０を含む９台のコインランドリー用衣類乾燥機を、幅方向に並べて設置した。衣類乾燥機１０の燃料としては、液化石油ガス（以下、ＬＰＧと称する）を用いた。
【００４８】
まず、衣類乾燥機１０の側面１０ｃ及び上面１０ｄにおける、止着用孔９ａ，…及び９ａ’，…に相当する部分をドリルで穿孔した。衣類乾燥機取付型熱交換器を載置し、止着用孔９ａ，…，９ａ’，…及び上記穿孔にビスを挿通して、衣類乾燥機取付型熱交換器を衣類乾燥機１０に止着し取り付けた。衣類乾燥機取付型熱交換器を安定に取り付けられれば、止着材１２，…は必ずしもビスに限られず、螺子，ボルト，釘，リベット等の任意種類の止着材１２，…であっても良い。
【００４９】
衣類乾燥機１０の排気口１０ｂに、断面が円形のフレキシブルチューブ１１（ステンレス鋼製，口径２００ｍｍφ，日本金属株式会社製）の一端を接続し、アルミニウムを支持体とする粘着テープ（幅：５０ｍｍ，株式会社寺岡製作所製）を、およそ５乃至６重に巻回して固定した。前記フレキシブルチューブ１１の他端は、衣類乾燥機取付型熱交換器の排気導入筒５に接続し、前記同様にアルミニウムを支持体とする粘着テープで固定した。
【００５０】
更に、材質及びサイズが同一のフレキシブルチューブ１１の一端を、衣類乾燥機取付型熱交換器の排気吹出筒６に、前記同様にして接続し固定した。当該フレキシブルチューブ１１の他端は、屋外に導いた。
【００５１】
吸気溜３内の空気の温度を測定するため、吸気溜３内に温度計を設置し、また、衣類乾燥機１０を設置した室内の空気の温度を測定するために、別の温度計を室内に設置した。
【００５２】
予めコインランドリー用洗濯機（型式：ＷＮ−２２，株式会社山本製作所社製）で洗濯し脱水した布団（材質：毛５０％，ポリエステル５０％；乾燥時重量：４．５ｋｇ重）を、上記の様にして本考案を取り付けた衣類乾燥機１０を用いて４０分間乾燥した際の、温度とＬＰＧ消費量を測定した。その結果を、同日に、衣類乾燥機取付型熱交換器を用いずに行った対照実験の結果と共に表１に示す。
【００５３】
【表１】
0003145376.tif 000003
【００５４】
衣類乾燥機１０内には、ＬＰＧの燃焼熱で加温された乾燥用空気に対する温度センサーが設けられていて、該センサーによってバーナーの点火と消火が制御され、乾燥用空気の温度は所定温度範囲内に保たれる。バーナーの点火又は消火によって、排気の温度も変動し、更に、排気と熱交換された吸気の温度も変動する。表１中の極大吸気溜内温度は、吸気の温度の極大値を示している。一方、室内温度は、衣類乾燥機１０の運転開始時における、室内の空気の温度である。
【００５５】
表１に示される様に、極大吸気溜内温度は室内温度よりも有意に高く、本考案によって吸気が予熱されていることが分る。また、本考案を取り付けることによって、衣類乾燥機１０に吸入される吸気の温度が高くなり、ＬＰＧの燃焼によって加えるべき熱量が抑制され、その結果、ＬＰＧ消費量を抑制できることが示された。
【使用例２】
【００５６】
使用例１で用いた、本考案を取り付けた衣類乾燥機１０を、各日とも同一時刻を運転開始時刻として、連続１３日間試運転した。各日とも、通常投入されると推定される量の衣類を洗濯し脱水して、衣類乾燥機１０に投入した。室内温度と極大吸気溜内温度を測定した結果を、表２に示す。
【００５７】
【表２】
0003145376.tif 000004
【００５８】
異なる日に運転しても、吸気が有意に加温されることが示された。また、極大吸気溜内温度は、室内温度の日間差によらず、ほぼ一定値を示すことが分った。
【００５９】
上記１３日間、通常運転されると同程度の頻度で衣類乾燥機１０を運転したところ、１時間当りのＬＰＧ消費量は、４０２±１５２ｍ３であった。その後の連続１３日間、衣類乾燥機取付型熱交換器を取り外して運転した場合のＬＰＧ消費量は、１時間当り５３７±７３ｍ３であった。後者の場合の室内温度は１４．９±２．７２℃であり、衣類乾燥機取付型熱交換器を取り付けた場合の方が、低い室内温度にも関わらず、ＬＰＧ消費量を約２５％抑制できた。
【産業上の利用可能性】
【００６０】
叙上の通り、本考案を取り付けることによって、ＬＰＧを燃料とする衣類乾燥機の乾燥効率を向上させ、燃料消費量を低減することができることが示されたが、本考案は排気との熱交換によって吸気を予熱するものであり、他の燃料や電熱線によって乾燥を行う各種衣類乾燥機に対しても適用可能である。また、コインランドリー用の衣類乾燥機に限られず、排気との熱交換が可能な業務用又は家庭用の衣類乾燥機にも、接続し用いることができる。
【図面の簡単な説明】
【００６１】
【図１】実施例１の衣類乾燥機取付型熱交換器の一部を切り開いて示す斜視図である。
【図２】実施例１の衣類乾燥機取付型熱交換器の使用状態を示す斜視図である。
【図３】実施例２の衣類乾燥機取付型熱交換器を示す斜視図である。
【図４】実施例２の衣類乾燥機取付型熱交換器の取付方法を示す斜視図である。
【符号の説明】
【００６２】
１  熱交換室
１ａ  底板
１ｂ，３ｂ  側壁
１ｃ  遮蔽版
１ｄ  吸気取込口
２  隔壁
３  吸気溜
３ａ  天板
３ｃ  当接面
３ｄ  吸気出口
４  管
５  排気導入筒
６  排気吹出筒
７，８  清掃用窓
７ａ，８ａ  レール
７ｂ，８ｂ  ストッパー
９，９’  フランジ
９ａ，９ａ’  止着用孔
１０  衣類乾燥機
１０ａ  吸気口
１０ｂ  排気口
１０ｃ  側面
１０ｄ  上面
１１  フレキシブルチューブ
１２  止着材
【図１】
0003145376.tif 000005
【図２】
0003145376.tif 000006
【図３】
0003145376.tif 000007
【図４】
0003145376.tif 000008
【手続補正書】
【提出日】平成20年7月28日(2008.7.28)
【手続補正１】
【補正対象書類名】実用新案登録請求の範囲
【補正対象項目名】請求項１
【補正方法】変更
【補正の内容】
【請求項１】
略直方体状で中空の熱交換室，熱交換室の上端面を隔壁として共有し熱交換室に連設された略直方体状の吸気溜，熱交換室の内部を貫通し隔壁及び熱交換室の底板に連結された両端開口の管，熱交換室の何れかの側壁に突設され熱交換室と外部を連通する排気導入筒，及び熱交換室の何れかの側壁に突設され熱交換室と外部を連通する排気吹出筒を有し、吸気溜の当接面には、止着用孔が穿設されたフランジが設けられると共に吸気溜と外部を連通する吸気出口が穿設されてなることを特徴とする衣類乾燥機取付型熱交換器。
【手続補正２】
【補正対象書類名】明細書
【補正対象項目名】００１４
【補正方法】変更
【補正の内容】
【００１４】
即ち、上記課題を解決する第１の考案は、略直方体状で中空の熱交換室，熱交換室の上端面を隔壁として共有し熱交換室に連設された略直方体状の吸気溜，熱交換室の内部を貫通し隔壁及び熱交換室の底板に連結された両端開口の管，熱交換室の何れかの側壁に突設され熱交換室と外部を連通する排気導入筒，及び熱交換室の何れかの側壁に突設され熱交換室と外部を連通する排気吹出筒を有し、吸気溜の当接面には、止着用孔が穿設されたフランジが設けられると共に吸気溜と外部を連通する吸気出口が穿設されてなることを特徴とする衣類乾燥機取付型熱交換器である。
【手続補正３】
【補正対象書類名】明細書
【補正対象項目名】００２５
【補正方法】変更
【補正の内容】
【００２５】
本考案に係る衣類乾燥機取付型熱交換器は、図１に示される様に、略直方体状で中空の熱交換室１，熱交換室１の上端面を隔壁２として共有し熱交換室１に連設された略直方体状の吸気溜３，熱交換室１の内部を貫通し隔壁２及び熱交換室１の底板１ａに連結された両端開口の管４，…，熱交換室１の何れかの側壁１ｂに突設され熱交換室１と外部を連通する排気導入筒５，及び熱交換室１の何れかの側壁１ｂに突設され熱交換室１と外部を連通する排気吹出筒６を有し、吸気溜３の当接面３ｃには、止着用孔９ａ，…が穿設されたフランジ９が設けられると共に吸気溜３と外部を連通する吸気出口３ｄが穿設されてなる。